(57)【要約】  【課題】  部品点数が少なく、作業工数、管理工数が増えない、安価で高信頼性のホースニップル付きモータを提供することを目的とする。  【解決手段】  モータヘの電源供給手段を保持する樹脂製のホルダーがモータ外部に露出しており、かつ、モータ内外の気圧差調整用の呼吸ホースを備えるモータにおいて、前記ホルダーと一体に、呼吸ホース保持用のホースニップルを形成している。  これにより、部品点数が増えず、ホースニップルの取り付け工数がかからない。また、ホースニップルとホルダーが一体となって接続部分が存在しないため、シールが必要となる部位そのものが存在しないので、シール材を塗布する必要も気密性を確認する必要もない。【選択図】  図１
2006271106.tif 000002
【特許請求の範囲】
【請求項１】
モータヘの電源供給手段を保持する樹脂製のホルダーがモータ外部に露出しており、かつ、モータ内外の気圧差調整用の呼吸ホースを備えるモータにおいて、前記ホルダーと一体に、呼吸ホース保持用のホースニップルを形成することを特徴とするホースニップル付きモータ。
【請求項２】
モータヘ電源を供給するハーネスの引き出し方向と、前記ホルダーに一体に形成されるホースニップルの向きが同じであることを特徴とする、請求項１に記載のホースニップル付きモータ。
【発明の詳細な説明】
【技術分野】
【０００１】
本発明は、モータ内に水が浸入するのを防止する目的で、モータ内外の気圧差を調整する呼吸ホースを備えるモータに関する。
【背景技術】
【０００２】
従来、多量に被水する環境や没水する環境で使用されるモータの場合、シール部分から水が浸入するのを防止するために、モータ内外の気圧差を調整する呼吸ホースが取り付けられている。
例えば、密閉構造のモータが、連続運転によってモータ内部が高温になった状態で多量に被水するか、もしくは没水した場合、モータ内外で大きな気圧差が発生し、シール部分を通じてモータ外部から内部へ空気や水が入り込もうとする。このとき、呼吸ホースがあれば、呼吸ホースからモータ内部へ多量の空気が流れ込み、モータ内外の気圧差を瞬時に無くすことで、シール部分から水が浸入するのを防止することができる。当然ながら、呼吸ホースの先端は被水、没水しないところまで引き伸ばされ、呼吸ホースから水が浸入することを防いでいる。
【０００３】
以下、従来のホースニップル付きモータについて、図面を参照しながら説明する。
【０００４】
図４は従来モータを示すもので、呼吸ホース３を取り付けるためのホースニップル１ａがブラケット５に取り付けられており、取り付け部位のシール性を確保するためにシール材６が塗布されている。（例えば、特許文献１参照）
【特許文献１】特開２００４−１６２６２１号公報
【発明の開示】
【発明が解決しようとする課題】
【０００５】
しかしながら、前記従来のホースニップル付きモータでは、ホースニップル、シール材等の部品点数が増え、ホースニップル取り付け、シール材塗布等の作業工数が増え、さらに、取り付け部の強度管理、シール材塗布部の気密性管理などの管理工数が増えるという課題があった。
【０００６】
本発明は上記従来の課題を解決するもので、部品点数が少なく、作業工数、管理工数のかからないホースニップル付きモータを提供することを目的とする。
【課題を解決するための手段】
【０００７】
この目的を達成するために、本発明のホースニップル付きモータは、モータヘの電源供給手段を保持し、モータ外部に露出する樹脂製のホルダーと一体に、呼吸ホース保持用のホースニップルを形成することを特徴としている。
【発明の効果】
【０００８】
本発明によれば、呼吸ホース保持用のホースニップルを追加しても、部品点数が増えず、作業工数、管理工数が増えないために、安価で高信頼性のモータを得ることができる。
【発明を実施するための最良の形態】
【０００９】
請求項１に記載の発明は、モータヘの電源供給手段を保持する樹脂製のホルダーがモータ外部に露出しており、かつ、モータ内外の気圧差調整用の呼吸ホースを備えるモータにおいて、前記ホルダーと一体に、呼吸ホース保持用のホースニップルを形成することを特徴とするホースニップル付きモータであり、部品点数が増えず、ホースニップルの取り付け工数がかからず、また、ホースニップルとホルダーが一体となって接続部分が存在しないため、シールが必要となる部位そのものが存在しないので、シール材を塗布する必要も気密性を確認する必要もない。
【００１０】
請求項２に記載の発明は、モータヘ電源を供給するハーネスの引き出し方向と、前記ホルダーに一体に形成されるホースニップルの向きが同じであることを特徴とするホースニップル付きモータであり、ハーネスとホースニップルに圧入される呼吸ホースが、ごく近い位置で同方向に引き出されるため、セットメーカーにおいてハーネス及び呼吸ホースを束ねて引き廻しするのが容易である。
【実施例１】
【００１１】
以下、本発明の実施例を、図面を参照しながら説明する。
【００１２】
図１はモータの斜視図であり、モータヘの電源供給手段である電源端子２を保持する樹脂製のホルダー１が、ブラケット５からモータ外部に露出しており、ホルダー１と一体にホースニップル１ａが形成されている。ホールニップル１ａには呼吸ホース３が取り付けられ、呼吸ホース３の先端は被水、没水しないところまで引き伸ばされる。ホースニップル１ａが樹脂製のホルダー１と一体に形成されるため、部品点数が増えず、ホースニップル１ａの取り付け工数がかからない。また、ホースニップル１ａとホルダー１が一体となって接続部分が存在しないため、シールが必要となる部位そのものが存在しないので、シール材を塗布する必要も気密性を確認する必要もない。
【００１３】
図２は図１に対し、ホースニップル１ａに呼吸ホース３が取り付けられ、電源端子２にハーネス４が接続された状態を示す、モータの斜視図である。電源端子２に接続されるハーネス４の引き出し方向と、樹脂製のホルダー１と一体に形成されるホースニップル１ａの向きが同じになっており、電源端子２に接続されるハーネス４とホースニップル１ａに圧入される呼吸ホース３がごく近い位置で同方向に引き出されるため、セットメーカーにおいてハーネス及び呼吸ホースを束ねて引き廻しするのが容易である。
【実施例２】
【００１４】
図３は本発明の第２の実施例におけるホースニップル付きモータの斜視図を示すものである。
ホルダー１がダイレクトカプラとなったものであり、ハーネスを取り付ける必要が無く、更に部品点数、作業工数を減らすことが可能である。また、ハーネス引き出し部のシール部分が存在しないので、更に安価で高信頼性のモータを得ることができる。
【産業上の利用可能性】
【００１５】
特に、モータ内外の気圧差調整用の呼吸ホースを備えるモータに適用できる。
【図面の簡単な説明】
【００１６】
【図１】本発明の実施例１におけるモータの斜視図
【図２】本発明の実施例１における他のモータの斜視図
【図３】本発明の実施例２におけるモータの斜視図
【図４】従来のモータの側面図
【符号の説明】
【００１７】
１  ホルダー
１ａ  ホースニップル
２  電源端子
３  呼吸ホース
４  ハーネス
５  ブラケット
６  シール材
【図１】
2006271106.tif 000003
【図２】
2006271106.tif 000004
【図３】
2006271106.tif 000005
【図４】
2006271106.tif 000006